(57)【要約】【課題】ケーシングの開口部を開閉する扉の内面を清掃可能としながらも、ケーシングの外部へ洗浄後の汚染物が含まれる洗浄水の漏出を抑制する器具除染用洗浄器を提供すること。【解決手段】開口部１３ａを開閉する扉２０は、アーム５０ａの回転によって上端部２１がケーシング１０の内部に引き込まれるとともに、その下端部２２が開口部１３ａに沿って上方に移動することで、閉状態から開状態へと移行する。【選択図】図３
2016077408.tif 000002
【特許請求の範囲】
【請求項１】
汚染された器具を洗浄する器具除染用洗浄器であって、
前面側に開口部が形成されたケーシングと、
前記ケーシングの内部に設けられ、器具を収容するとともに洗浄水が供給される洗浄槽と、
前記開口部を開閉する扉と、
前記扉の上端部を回転可能に支持するとともに、前記開口部よりも背面側の部位を中心として回転するアームと、を備え、
前記扉は、前記アームの回転によって前記上端部が前記ケーシングの内部に引き込まれるとともに、その下端部が前記開口部に沿って上方に移動することで、その閉状態から開状態へと移行することを特徴とする器具除染用洗浄器。
【請求項２】
前記扉の下端部を上下方向に案内するレールを備え、
前記レールは、前記ケーシングの外部に設けられていることを特徴とする請求項１に記載の器具除染用洗浄器。
【請求項３】
前記扉の閉状態において、前記扉の前面と当接してシールするパッキンが設けられていることを特徴とする請求項１又は２に記載の器具除染用洗浄器。
【請求項４】
前記扉は、その開状態において前記アームに対して着脱自在となるように構成されていることを特徴とする請求項１乃至３のいずれか１項に記載の器具除染用洗浄器。
【請求項５】
前記アームの回転中心は、鉛直方向において、閉状態にある前記扉の中央部近傍に設けられていることを特徴とする請求項１乃至４のいずれか１項に記載の器具除染用洗浄器。
【発明の詳細な説明】
【技術分野】
【０００１】
本発明は、汚染された器具を洗浄する器具除染用洗浄器に関する。
【背景技術】
【０００２】
医療現場で使用された外科手術用のメスや鉗子、内視鏡等の器具には、血液や脂質、タンパクなど生体由来の有機物の他、微生物やウイルス、プリオン（ＰｒＰsc）等の汚染物が付着する。このため、例えば下記特許文献１には、両側に電極を具備する隔膜で区画された電解槽のアルカリ電解水生成槽を洗浄槽とし、洗浄槽に収容した器具を水による超音波洗浄で予備洗浄し、次いで電解槽に供給された塩化ナトリウム水溶液を電解することにより生成されるアルカリ性電解水で超音波洗浄することが記載されている。また、その超音波洗浄の後に、アルカリ性電解水生成槽内のアルカリ性電解水を排水して、酸性電解水生成槽内の酸性電解水を該アルカリ性電解水生成槽内に移送して洗浄殺菌し、更に水で洗浄した後に洗浄槽内に温風を送給して乾燥する。また、下記特許文献１では、アルカリ性電解水により超音波洗浄した器具を、水で濯ぎ洗浄してから酸性電解水で洗浄殺菌することも開示されている。
【０００３】
なお、本願において「洗浄」とは、対象物に付着した汚染物を対象物から除去することをいう。
【０００４】
このような器具の洗浄を行う器具除染用洗浄器として、図６に示されるものが知られている。この器具除染用洗浄器１００は、筐体となるケーシング１０１を有しており、その内部には、器具を収容するとともに洗浄水が供給される洗浄槽（不図示）が設けられている。
【０００５】
器具の洗浄中、例えば、超音波洗浄中には、振動子の振動によって、洗浄槽に貯留された被洗浄器具から剥離した汚染物が含まれる洗浄水（以下、「洗浄後水」という。）の飛沫が生じる。また、洗浄後に洗浄槽内に温風を供給して乾燥させる際も、温風によって被洗浄器具から洗浄後水が水滴となって吹き飛ばされる。このため、器具の洗浄中や乾燥中は、洗浄後水がケーシング１０１の外部に漏出することが無いよう、ケーシング１０１の前面の開口部１０２は扉１０３によって覆われる。
【０００６】
扉１０３は、上扉１０３ａ及び下扉１０３ｂとで構成されている。上扉１０３ａと下扉１０３ｂとは、それぞれ開口部１０２の上半分と下半分とを覆う平板状の部材である。ケーシング１０１の内部であって開口部１０２の上下には、それぞれ戸袋（不図示）が設けられている。上扉１０３ａ及び下扉１０３ｂは、いずれも上下にスライド移動することで、戸袋に収容されて開口部１０２を開放することができるように構成されている。
【先行技術文献】
【特許文献】
【０００７】
【特許文献１】特許第４３５９２８４号公報
【発明の概要】
【発明が解決しようとする課題】
【０００８】
図６に示される器具除染用洗浄器１００では、器具の洗浄中や乾燥中に、扉１０３の内面に洗浄後水の飛沫や水滴が付着する。当該飛沫や水滴には、器具から除去された汚染物が多分に含まれているため、これを放置することで、扉１０３やケーシング１０１の内部が不衛生な状態となるおそれがある。
【０００９】
このため、扉１０３の内面は適宜清掃することが好ましい。しかしながら、扉１０３の開状態において、上扉１０３ａ及び下扉１０３ｂがいずれも戸袋内に収容されてしまうと、それらの内面の清掃が行えなくなるという課題があった。
【００１０】
また、扉１０３の内面の清掃を可能にする方法として、扉１０３を、観音開き式の扉としたり、引き落とし式の扉としたりすることも考えられる。しかしながら、この場合にも、扉１０３を手前側に開いた際に、その内面に付着していた洗浄後水がケーシング１０１の外部に漏出し、ケーシング１０１外部及び設置面周辺を汚染してしまうという課題があった。
【００１１】
本発明はこのような課題に鑑みてなされたものであり、その目的は、ケーシングの開口部を開閉する扉の内面を清掃可能としながらも、ケーシングの外部へ洗浄後の汚染物が含まれる洗浄水の漏出を抑制する器具除染用洗浄器を提供することにある。
【課題を解決するための手段】
【００１２】
上記課題を解決するために、本発明に係る器具除染用洗浄器は、汚染された器具を洗浄する器具除染用洗浄器であって、前面側に開口部が形成されたケーシングと、前記ケーシングの内部に設けられ、器具を収容するとともに洗浄水が供給される洗浄槽と、前記開口部を開閉する扉と、前記扉の上端部を回転可能に支持するとともに、前記開口部よりも背面側の部位を中心として回転するアームと、を備え、前記扉は、前記アームの回転によって前記上端部が前記ケーシングの内部に引き込まれるとともに、その下端部が前記開口部に沿って上方に移動することで、その閉状態から開状態へと移行することを特徴とする。
【００１３】
本発明では、扉は、その閉状態から開状態へと移行する場合に、ケーシングの開口部から外部に出ることが無いため、扉の内面に付着している洗浄後水の飛沫や水滴がケーシングの外部に漏出してしまうことを抑制することができる。また、扉は、その開状態において、内面を下方に向けた状態で配置される。したがって、扉の内面に付着している洗浄後水の飛沫や水滴を拭き取るように清掃することが可能になる。さらに、閉状態から開状態への移行中や、清掃中に、扉の内面に付着していた洗浄後水が落下した場合にも、当該洗浄後水はケーシング内に落下するため、やはりケーシング外部への洗浄後水の漏出を抑制することが可能となる。
【００１４】
また本発明に係る器具除染用洗浄器では、前記扉の下端部を上下方向に案内するレールを備え、前記レールは、前記ケーシングの外部に設けられていることも好ましい。
【００１５】
この好ましい態様では、レールがケーシングの外部に設けられているため、洗浄後水の飛沫や水滴がレールに付着してしまうことを抑制することができる。したがって、レールが、清掃が困難な複雑な形状のものである場合にも、レールを衛生的な状態に維持することが可能となる。
【００１６】
また本発明に係る器具除染用洗浄器では、前記扉の閉状態において、前記扉の前面と当接してシールするパッキンが設けられていることも好ましい。
【００１７】
この好ましい態様では、パッキンは、扉の前面と当接してシールを行うことで、ケーシングの内部の気密性を向上させる。ここで、扉の前面は、扉の内面と異なり洗浄後水の飛沫や水滴が殆ど付着しない。したがって、ケーシング外部への洗浄後水の漏出を抑制しながらも、パッキンと扉との間に洗浄後水が浸入することを抑制し、パッキンを衛生的な状態に維持することが可能となる。
【００１８】
また本発明に係る器具除染用洗浄器では、前記扉は、その開状態において前記アームに対して着脱自在となるように構成されていることも好ましい。
【００１９】
この好ましい態様では、開状態にある扉をアームから取り外して清掃することが可能となるため、清掃性を大幅に向上させることが可能となる。
【００２０】
また本発明に係る器具除染用洗浄器では、前記アームの回転中心は、鉛直方向において、閉状態にある前記扉の中央部近傍に設けられていることも好ましい。
【００２１】
本発明のように、アームの回転によって扉の上端部をケーシングの内部に引き込むように構成すると、ケーシングの内部空間の上方に、器具を配置できないデッドスペースが不可避に生じる。
【００２２】
アームの回転中心を、鉛直方向において扉の下端寄りの部位に設けると、当該回転中心から扉の上端部までのアーム長が比較的大きくなる。したがって、扉の上端部の引き込みの際に、当該上端部が描く円弧状の移動軌跡の曲率が小さくなるため、前述したデッドスペースを小さくすることができる。しかしながら、この場合、アームの回転中心が鉛直方向において扉の下端寄りの部位に設けられることで、当該回転中心が汚染されやすく、不衛生になり易いという課題がある。
【００２３】
一方、アームの回転中心を、鉛直方向において扉の上端寄りの部位に設けると、当該回転中心の汚染は軽減される。しかしながら、この場合、アームの回転中心から扉の上端部までのアーム長が比較的小さくなり、扉の上端部の引き込みの際に、当該上端部が描く円弧状の移動軌跡の曲率が小さくなる。このため、前述したデッドスペースが大きくなるという課題がある。
【００２４】
このような課題に対し、この好ましい態様では、アームの回転中心は、鉛直方向において扉２０の中央部近傍に設けられているため、アームの回転中心の汚染抑制とデッドスペースの大型化の抑制との両立を図ることが可能となる。
【発明の効果】
【００２５】
本発明によれば、ケーシングの開口部を開閉する扉の内面を清掃可能としながらも、ケーシングの外部へ洗浄後の汚染物が含まれる洗浄水の漏出を抑制する器具除染用洗浄器を提供することができる。
【図面の簡単な説明】
【００２６】
【図１】本発明の実施形態に係る器具除染用洗浄器の扉の閉状態を示す斜視図である。
【図２】図１の器具除染用洗浄器の扉の開状態を示す斜視図である。
【図３】図２のＩＩＩ−ＩＩＩ断面の一部を示す断面図である。
【図４】図１のＩＶ−ＩＶ断面の一部を示す断面図である。
【図５】開閉時における扉の上端部の軌跡を示す模式図である。
【図６】従来の器具除染用洗浄器の扉の閉状態を示す斜視図である。
【発明を実施するための形態】
【００２７】
以下、添付図面を参照しながら本発明の実施の形態について説明する。説明の理解を容易にするため、各図面において同一の構成要素に対しては可能な限り同一の符号を付して、重複する説明は省略する。
【００２８】
まず、図１及び図２を参照しながら、本発明の実施形態に係る器具除染用洗浄器について説明する。図１は、本発明の実施形態に係る器具除染用洗浄器の扉の閉状態を示す斜視図であり、図２は、図１の器具除染用洗浄器の扉の開状態を示す斜視図である。
【００２９】
器具除染用洗浄器ＷＭは、ケーシング１０と、扉２０と、洗浄槽３０（図２参照）と、洗浄ユニット４０と（図２参照）、アーム５０ａ，５０ｂと（図２参照）、を備えている。
【００３０】
ケーシング１０は、器具除染用洗浄器ＷＭの筐体となる箱状部材である。ケーシング１０は、その側面が左側面パネル１１及び右側面パネル１２で構成されており、また、左側面パネル１１及び右側面パネル１２の間に配置される前面パネル１３及び背面パネル１４によって前面及び背面が構成されている。左側面パネル１１、右側面パネル１２、前面パネル１３及び背面パネル１４は、いずれもステンレス製の板状部材である。図２では、説明のため、右側面パネル１２を取り除いた状態を示している。前面パネル１３には、矩形の開口部１３ａが形成されている。
【００３１】
扉２０は、開口部１３ａを開閉する矩形の板状部材である。扉２０には、ケーシング１０を確認するためのガラスが嵌め込まれているが、ここではその図示を省略している。扉２０が開状態にある場合には、開口部１３ａを介してケーシング１０の内外が連通された状態となる。
【００３２】
洗浄槽３０は、シンク部３１と、フランジ部３２と、を有するステンレス製の部材であり、ケーシング１０の内部に設けられている。シンク部３１は、有底で上部が開放された容器状に形成され、供給される洗浄液をその内部に貯留可能に形成されている。フランジ部３２は、シンク部３１の上端部の外縁から水平方向に突出するように形成されている。
【００３３】
前述したケーシング１０の左側面パネル１１及び右側面パネル１２は、鉛直方向に延びて洗浄槽３０の左右両側を覆うとともに、洗浄槽３０よりも更に上方に延びる。また、洗浄槽３０のフランジ部３２の背面側の部位には、包囲壁１５が設けられている。包囲壁１５は、フランジ部３３から上方に延びるととともに、さらに前方に延びて洗浄槽の３０の上部を覆うように形成されている。これにより、洗浄槽の３０の上方には、左側面パネル１１、右側面パネル１２及び包囲壁１５によって囲われた作業空間１６が形成される。
【００３４】
洗浄ユニット４０は、ケーシング１０の内部のうち、洗浄槽３０の下方に形成される空間に配置されている。洗浄ユニット４０は、洗浄槽３０への洗浄水の供給や排出を行ったり、洗浄槽３０に貯留された洗浄水に超音波振動を印加する発振器を有する。洗浄ユニット４０は、また、電気分解によって生成されたアルカリ性電解水や酸性電解水を生成したりすることが可能なユニットである。
【００３５】
アーム５０ａ，５０ｂは、断面が矩形の棒状の部材である。アーム５０ａ，５０ｂは、いずれもケーシング１０の内部に配置されている。後述するように、アーム５０ａ，５０ｂは、その一端部が左側面パネル１１又は右側面パネル１２に回転可能に支持されており、他端部が扉２０の上端部を回転可能に支持している。
【００３６】
以上のように構成された器具除染用洗浄器ＷＭでは、医療現場で使用された外科手術用のメスや鉗子、内視鏡等の器具を、洗浄槽３０のシンク部３１内に配置して洗浄する。これらの器具は、洗浄槽３０に貯留された洗浄水に水没している。洗浄槽３０のシンク部３１に設けた振動子によって超音波振動を印加し、器具に付着している汚染物を剥離させるほか、アルカリ性電解水や酸性電解水により分解及び殺菌等する洗浄が行われる。
【００３７】
また、器具の洗浄後、洗浄ユニット４０は洗浄槽３０から洗浄後の汚染物が含まれる洗浄水（以下、「洗浄後水」という。）を排出し、洗浄槽３０内に温風を供給する。これにより、器具に付着していた洗浄後水の水滴が吹き飛ばされるとともに、器具の表面温度が上昇して乾燥が促される。
【００３８】
このような器具の洗浄中や乾燥中においては、扉２０は、図１に示すような閉状態にあり、ケーシング１０の開口部１３ａを閉塞している。これにより、超音波振動を印加した際に生じる洗浄後水の飛沫や、器具から吹き飛ばされた洗浄後水の水滴の移動が扉２０によって妨げられるため、ケーシング１０の外部に漏出することが無い。
【００３９】
扉２０の内面２０ａには、洗浄後水の飛沫や水滴が多量に付着する。この飛沫や水滴には、器具から除去された汚染物が多分に含まれているため、ケーシング１０の内部を衛生的な状態に維持するためには、清掃によりこれらを拭き取ることが好ましい。
【００４０】
そこで、扉２０の内面の清掃時には、扉２０を上方に跳ね上げ、図２に示すような開状態へと移行させる。これにより、扉２０は、その内面２０ａを下方に向けた状態となるため、清掃者は開口部１３ａから手を入れ、内面２０ａに付着している洗浄後水を拭き取るように清掃することが可能となる。
【００４１】
また、扉２０を上方に跳ね上げて開状態とすることで、開口部１３ａが開放されるため、汚染された器具を洗浄槽３０内に配置したり、洗浄及び乾燥後の器具を洗浄槽３０内から取り出したりすることができる。
【００４２】
次に、図３及び図４を参照しながら、扉２０を開閉させるための機構について説明する。図３は、図２のＩＩＩ−ＩＩＩ断面の一部を示す断面図であり、図４は、図１のＩＶ−ＩＶ断面の一部を示す断面図である。
【００４３】
図３では、閉状態Ｓ１、開状態Ｓ２、及び、閉状態Ｓ１と開状態Ｓ２との間の移行状態Ｓ３にある扉２０を模式的に示している。尚、扉２０は左右方向に略対称に形成されているため、以下、扉２０の左側の構成を例にとって説明する。
【００４４】
扉２０の上端部２１の左側面には、上端側フック６１ａが取り付けられている。上端側フック６１ａはステンレス製の部材であり、鉤状に形成されている。この上端側フック６１ａに対して、アーム５０ａの端部に設けられているピン５２ａが係合している。
【００４５】
アーム５０ａの、ピン５２ａとは反対側の端部は、左側面パネル１１によって回転可能に支持されている。これにより、アーム５０ａは、回転中心５１ａ周りに、左側面パネル１１の内面に沿って回転可能となっている。
【００４６】
扉２０の下端部２２の前面２０ｂには、下端側フック６２ａが取り付けられている。下端側フック６２ａはステンレス製の部材であり、鉤状に形成されている。図４に示されるように、この下端側フック６２ａには、左右方向に延びる棒状部材であるロッド６３が係合している。このロッド６３は、扉２０の右側端部よりも更に右側に突出するように設けられている。
【００４７】
扉２０の前方（すなわち、ケーシング１０の外部）であって、扉２０の左方には、鉛直方向に延びるガイドレール６５ａが、開口部１３ａに沿うように設けられている。ガイドレール６５ａは、ステンレス製の部材であり、断面形状が略コ字状を呈している。また、前後方向を覆われた空間であるガイド部６５ａ１内には、ロッド６３の左側端部が配置されている。更に、このガイド部６５ａ１内には、ワイヤ６４ａが上方から延びており、ワイヤ６４ａはロッド６３の左側端部に対して締結されている。ワイヤ６４ａは、ガイドレール６５ａよりも上方に配置されるモータ（不図示）を駆動させることによって、巻き取り及び引き出しが可能となっている。
【００４８】
また、扉２０の左方には、鉛直方向に延びるブラケット６６ａが設けられている（図４参照）。ブラケット６６ａは、ステンレス製の部材であり、水平面における断面形状が略Ｌ字状を呈しており、左側面パネル１１に対して固定されている。ブラケット６６ａの外側面のうち、背面側の面には、ゴム製のパッキン６７ａが貼り付けられており、扉２０は、閉状態Ｓ１において前面２０ｂがパッキン６７ａと当接する。また、洗浄槽３０のフランジ部３２の前縁部３２ａの上面には、ゴム製のパッキン６８が張り付けられており、扉２０は、閉状態Ｓ１において下端部２２がパッキン６８と当接している。扉２０をパッキン６７ａ及びパッキン６８と当接させることで、ケーシング１０の内部の気密性向上が図られている。
【００４９】
以上のように構成された扉２０の開閉機構では、モータを駆動させてワイヤ６４ａの巻き取りあるいは引き出しを行うことにより、扉２０の開状態から閉状態への移行、あるいはその逆の移行を行う。
【００５０】
まず、扉２０を閉状態から開状態へと移行させる際は、モータがワイヤ６４ａを巻き取ることにより、ワイヤ６４ａが締結されているロッド６３を引き上げる。ロッド６３の左側端部は、ガイドレール６５ａのガイド部６５ａ１内に配置されて前後方向の移動が規制されているため、ロッド６３は、このガイド部６５ａ１に沿って上方に移動する。
【００５１】
前述したように、扉２０は、その下端部２２に取り付けられている下端側フック６２ａにおいてロッド６３と係合している。したがって、ロッド６３の上方への移動に伴って、扉２０の下端部２２が持ち上げられる。
【００５２】
また、前述したように、扉２０の上端部２１は、その左側面に取り付けられた上端側フック６１ａにおいて、アーム５０ａの端部に設けられているピン５２ａと係合している。これにより、扉２０の下端部２２が持ち上げられると、扉２０の上端部２１は、ピン５２ａに対して回転しながらピン５２ａを持ち上げる。ピン５２ａを持ち上げられたアーム５０ａは、回転中心５１ａ周りに、左側面パネル１１の内面に沿って背面側に回転し、扉２０は移行状態Ｓ３となる。
【００５３】
このようにして扉２０が持ち上げられることにより、扉２０の上端部２１は、アーム５０ａのピン５２ａとともに、回転中心５１ａを中心とする円弧上の軌跡を描きながら、ケーシング１０の内部に引き込まれる。また、扉２０の下端部２２は、開口部１３ａに沿って上方に移動する。これにより、扉２０は、ケーシング１０の内部で洗浄槽３０の真上に配置されるとともに、その内面２０ａを下方に向けて開口部１３ａを開放する開状態Ｓ２となる。
【００５４】
開状態Ｓ２において、下端側フック６２ａとロッド６３との係合と、上端側フック６１ａとピン５２ａとの係合を解除することにより、扉２０をアーム５０ａから取り外すことが可能となる。取り外した扉２０は、開口部１３ａから取り出すことができる。
【００５５】
一方、扉２０を開状態Ｓ２から閉状態Ｓ１へと移行させる際は、モータが巻き取っていたワイヤ６４ａを引き出すように駆動する。これにより、自重で降下しようとする扉２０の下端部２２をロッド６３によって下方から支え、その降下速度を調整する。ロッド６３は、ガイドレール６５ａのガイド部６５ａ１に沿って下方に移動する。これにより、扉２０の下端部２２が開口部１３ａに沿って下方に移動する。
【００５６】
扉２０の上端部２１は、アーム５０ａのピン５２ａとともに、回転中心５１ａを中心とする円弧上の軌跡を描きながら、前方に移動する。これにより、扉２０は、ケーシング１０の開口部１３ａを覆う閉状態Ｓ１となる。
【００５７】
以上のように開閉する扉２０は、その閉状態Ｓ１から開状態Ｓ２へと移行する場合に、ケーシング１０の開口部１３ａから外部に出ることが無いため、扉２０の内面２０ａに付着している洗浄後水の飛沫や水滴がケーシング１０の外部に漏出してしまうことを抑制することができる。また、扉２０は、その開状態Ｓ２において、内面２０ａを下方に向けた状態で配置されるため、扉２０の内面２０ａに付着している洗浄後水の飛沫や水滴を拭き取るように清掃することが可能になる。さらに、閉状態Ｓ１から開状態Ｓ２への移行中や、清掃中に、扉２０の内面２０ａに付着していた洗浄後水が落下した場合にも、当該洗浄後水はケーシング１０内に落下するため、やはりケーシング１０外部への洗浄後水の漏出を抑制することが可能となる。
【００５８】
また、扉２０の下端部２２を上下方向に案内するガイドレール６５ａが、ケーシング１０の外部に設けられている。したがって、洗浄後水の飛沫や水滴がガイドレール６５ａに付着してしまうことを抑制することができる。したがって、断面形状がコ字状のガイド部６５ａ１が形成されている等、ガイドレール６５ａが、清掃困難な複雑な形状のものである場合にも、ガイドレール６５ａを衛生的な状態に維持することが可能となる。
【００５９】
また、閉状態Ｓ１において、扉２０は、前面２０ｂにおいてパッキン６７ａと当接している。扉２０の前面２０ｂは、内面２０ａと異なり、洗浄後水の飛沫や水滴が殆ど付着しない。したがって、ケーシング１０の内部の気密性を向上させ、洗浄後水の漏出を抑制しながらも、パッキン６７ａと扉２０との間に洗浄後水が浸入することを抑制し、パッキン６７ａを衛生的な状態に維持することが可能となる。
【００６０】
また、扉２０は、その開状態Ｓ２においてアーム５０ａに対して着脱自在であるため、開状態Ｓ２にある扉２０をアーム５０ａから取り外して清掃することが可能となり、清掃性を大幅に向上させることが可能となる。
【００６１】
続いて、図５を参照しながら、アーム５０ａの回転中心の位置について説明する。図５は、開閉時における扉２０の上端部の軌跡を示す模式図である。図５は、ケーシング１０の内部を右側面から見た状態を示している。
【００６２】
前述した実施形態のように、アーム５０ａの回転によって扉２０の上端部２１をケーシング１０の内部に引き込むように構成すると、ケーシング１０の作業空間１６の上方に、器具を配置できないデッドスペースが不可避に生じる。同実施形態では、アーム５０ａの回転中心５１ａを、鉛直方向において扉２０の下端部２２寄りの部位に設けているが、回転中心の汚染抑制とデッドスペースの大型化の抑制との両立を図る観点からは、当該回転中心を扉２０の中央部近傍に設けることが好ましい。以下、アーム長が異なる３種類のアーム５０ａ１，アーム５０ａ２，アーム５０ａ３を用いた場合に、それぞれ作業空間１６の上部に形成されるデッドスペースについて説明する。
【００６３】
例えば、アーム５０ａ１の回転中心５１ａ１を、鉛直方向において扉２０の下端部２２寄りの部位に設けると、回転中心５１ａ１から扉２０の上端部２１までのアーム長Ｌ１が比較的大きくなる。したがって、扉２０の上端部２１の引き込みの際に、上端部２１が描く円弧状の移動軌跡の曲率が小さくなるため、作業空間１６の上部に形成されるデッドスペースを、高さＨ１分に納めることができる。
【００６４】
しかしながら、この場合、回転中心５１ａ１が汚染されやすく、不衛生になり易いという課題がある。すなわち、回転中心５１ａ１は、下方の洗浄槽３０から洗浄後水の飛沫が飛来したり、ケーシング１０の左側面パネル１１の内壁に付着した洗浄後水が当該内壁を伝って上方から落ちてきたりすることにより、洗浄後水が付着する機会が比較的高い位置に配置されており、汚染され易い状態にある。
【００６５】
一方、アーム５０ａ２の回転中心５１ａ２を、鉛直方向において扉２０の上端部２１寄りの部位に設けると、洗浄槽３０から大きく離間するほか、左側面パネル１１の上方に配置されることで、洗浄後水による汚染は軽減される。
【００６６】
しかしながら、この場合、アーム５０ａ２の回転中心から扉２０の上端部２１までのアーム長が比較的小さなＬ２となり、扉２０の上端部２１の引き込みの際に、上端部２１が描く円弧状の移動軌跡の曲率が小さくなる。このため、作業空間１６の上部に形成されるデッドスペースが、高さＨ２分と大きくなってしまう。
【００６７】
このような課題に対し、アーム５０ａ３の回転中心５１ａ３は、鉛直方向において扉２０の中央部近傍に設けられているため、アーム５０ａ３の回転中心５１ａ３の汚染抑制とデッドスペース（高さＨ３分）の大型化の抑制との両立を図ることが可能となる。
【００６８】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００６９】
ＷＭ：器具除染用洗浄器
Ｓ１  閉状態
Ｓ２  開状態
１０：ケーシング
１３ａ：開口部
２０：扉
２０ａ：扉の内面
２０ｂ：扉の前面
２１：扉の上端部
２２：扉の下端部
３０：洗浄槽
５０ａ，５０ｂ：アーム
５１ａ：アームの回転中心
６５ａ：ガイドレール（レール）
６７ａ：パッキン
【図１】
2016077408.tif 000003
【図２】
2016077408.tif 000004
【図３】
2016077408.tif 000005
【図４】
2016077408.tif 000006
【図５】
2016077408.tif 000007
【図６】
2016077408.tif 000008